(57)【要約】【課題】発光素子の寿命を延ばす。【解決手段】画像処理装置１００Ａの輝度調整部１１０は輝度制御信号ＣＴＬ１に基づいて入力画像信号Ｇinを補正して出力画像信号Ｇoutを生成する。目標輝度生成部１３０は、使用時間Ｄｔに応じた目標輝度Ｌａを生成する。輝度検出部１４０は発光装置１０の輝度を検出輝度Ｌｂとして出力する。輝度劣化判定部１５０は目標輝度Ｌａと検出輝度Ｌｂとを比較してＯＬＥＤ素子の劣化の程度を判定し、検出輝度Ｌｂが目標輝度Ｌａに近づくように輝度制御信号ＣＴＬ１を生成する。目標輝度Ｌａは使用時間Ｄｔが長くなると大きさが低下するように設定されている。【選択図】図１
2007140325.tif 000002
【特許請求の範囲】
【請求項１】
複数の発光素子を備えた発光装置に対して入力画像信号を補正した出力画像信号を供給
する発光制御装置であって、
前記発光素子の使用時間が長くなると大きさが低下するように設定された目標輝度を前
記使用時間に応じて生成する目標輝度生成手段と、
前記複数の発光素子の一部又は全部の輝度を検出輝度として検出する輝度検出手段と、
前記検出輝度と前記目標輝度とを比較した結果である輝度比較結果に基づいて前記入力
画像信号を補正して前記出力画像信号を生成する補正手段と、
を備える発光制御装置。
【請求項２】
前記輝度検出手段は、前記複数の発光素子の各々の輝度を検出し前記検出輝度として出
力し、
前記目標輝度生成手段は、
前記使用時間と目標輝度係数とを対応付けて記憶した目標輝度係数保持手段と、
前記使用時間に応じて前記目標輝度係数保持手段から読み出した前記目標輝度係数と前
記入力画像信号を演算して前記目標輝度を生成する演算手段とを備える、
ことを特徴とする請求項１に記載の発光制御装置。
【請求項３】
表示モードにおいて前記出力画像信号を出力し、測定モードにおいて所定の階調を表示
させる基準画像信号を出力して、前記発光装置に供給する選択手段を備え、
前記目標輝度生成手段は、前記使用時間と前記目標輝度とを対応付けて記憶した目標輝
度保持手段を備え、
前記補正手段は、前記測定モードにおいて前記検出輝度と前記目標輝度とを比較して輝
度比較情報を生成し、前記表示モードにおいて、前記輝度比較情報に基づいて前記入力画
像信号を補正して前記出力画像信号を生成する、
ことを特徴とする請求項１に記載の発光制御装置。
【請求項４】
前記複数の発光素子は画像の表示に寄与しない特定の発光素子を含み、
前記輝度検出手段は、前記特定の発光素子の輝度を検出して前記検出輝度として出力し
、
前記目標輝度生成手段は、前記使用時間と前記目標輝度とを対応付けて記憶した目標輝
度保持手段を備える、
ことを特徴とする請求項１に記載の発光制御装置。
【請求項５】
複数の発光素子を備えた発光装置に対して入力画像信号を補正した出力画像信号を供給
する発光制御装置であって、
前記発光素子の使用時間が長くなると大きさが低下するように設定された目標輝度を前
記使用時間に応じて生成する目標輝度生成手段と、
前記複数の発光素子の輝度を前記使用時間に応じて推定して推定輝度を生成する推定輝
度生成手段と、
前記推定輝度と前記目標輝度とを比較した結果である輝度比較結果に基づいて前記入力
画像信号を補正して前記出力画像信号を生成する補正手段と、
を備える発光制御装置。
【請求項６】
前記目標輝度生成手段は、
前記使用時間と目標輝度係数とを対応付けて記憶した目標輝度係数保持手段と、
前記使用時間に応じて前記目標輝度係数保持手段から読み出した前記目標輝度係数と前
記入力画像信号を演算して前記目標輝度を生成する演算手段とを備え、
前記推定輝度生成手段は、
前記使用時間と推定輝度係数とを対応付けて記憶した推定輝度係数保持手段と、
前記使用時間に応じて前記推定輝度係数保持手段から読み出した前記推定輝度係数と前
記入力画像信号を算出して前記推定輝度を生成する算出手段とを備える、
ことを特徴とする請求項５に記載の発光制御装置。
【請求項７】
複数の発光素子を備えた発光装置に対して入力画像信号を補正した出力画像信号を供給
する発光制御装置であって、
前記発光素子の使用時間が長くなると大きさが低下するように設定された目標輝度と前
記複数の発光素子の輝度を前記使用時間に応じて推定した推定輝度との比較結果である輝
度比較情報を前記使用時間に対応付けて記憶した記憶手段と、
前記使用時間に応じて前記記憶手段から読み出した前記輝度比較情報に基づいて前記入
力画像信号を補正して前記出力画像信号を生成する補正手段と、
を備える発光制御装置。
【請求項８】
各々がＲＧＢ色のいずれかを発光する複数の発光素子を備えた発光装置に対して入力画
像信号を補正した出力画像信号を供給する発光制御装置であって、
前記発光素子の使用時間に応じて白色の色度が黒体放射軌跡上を推移するように目標色
度を生成する目標色度生成手段と、
前記複数の発光素子の一部又は全部の色度を検出色度として検出する色度検出手段と、
前記検出色度と前記目標色度とを比較した結果である色度比較結果に基づいて前記入力
画像信号を補正して前記出力画像信号を生成する補正手段と、
を備える発光制御装置。
【請求項９】
前記複数の発光素子の一部又は全部の輝度を検出輝度として検出する輝度検出手段と、
前記発光素子の使用時間が長くなると大きさが低下するように設定された目標輝度を前
記使用時間に応じて生成する目標輝度生成手段とを備え、
前記補正手段は、前記検出輝度と前記目標輝度とを比較した結果である輝度比較結果及
び前記色度比較結果に基づいて前記入力画像信号を補正して前記出力画像信号を生成する
、
ことを特徴とする請求項８に記載の発光制御装置。
【請求項１０】
各々がＲＧＢ色のいずれかを発光する複数の発光素子を備えた発光装置に対して入力画
像信号を補正した出力画像信号を供給する発光制御装置であって、
前記発光素子の使用時間に応じて白色の色度が黒体放射軌跡上を推移するように目標色
度を生成する目標色度生成手段と、
前記複数の発光素子の色度を前記使用時間に応じて推定して推定色度を生成する推定色
度生成手段と、
前記推定色度と前記目標色度とを比較した結果である色度比較結果に基づいて前記入力
画像信号を補正して前記出力画像信号を生成する補正手段と、
を備える発光制御装置。
【請求項１１】
前記発光素子の使用時間が長くなると大きさが低下するように設定された目標輝度を前
記使用時間に応じて生成する目標輝度生成手段と、
前記複数の発光素子の輝度を前記使用時間に応じて推定して推定輝度を生成する推定輝
度生成手段とを備え、
前記補正手段は、前記推定輝度と前記目標輝度とを比較した結果である輝度比較結果及
び前記色度比較結果に基づいて前記入力画像信号を補正して前記出力画像信号を生成する
、
ことを特徴とする請求項１０に記載の発光制御装置。
【請求項１２】
複数の発光素子を備え、供給される画像信号の大きさに応じた輝度で前記複数の発光素
子を発光させる発光装置と、
請求項１乃至１１のうちいずれか１項に記載した発光制御装置と、
を備えることを特徴とする表示装置。
【請求項１３】
請求項１２に記載の表示装置を備えた電子機器。
【請求項１４】
複数の発光素子を備え、供給される画像信号に従って前記複数の発光素子を発光させる
発光装置を制御する発光装置の制御方法であって、
前記発光素子の使用時間が長くなると大きさが低下するように目標輝度を生成し、
前記複数の発光素子の一部又は全部の輝度を検出輝度として検出し、
前記検出輝度と前記目標輝度とを比較し、比較結果に基づいて画像信号を補正して前記
発光装置に供給する、
ことを特徴とする発光装置の制御方法。
【請求項１５】
複数の発光素子を備え、供給される画像信号に従って前記複数の発光素子を発光させる
発光装置を制御する発光装置の制御方法であって、
前記発光素子の使用時間が長くなると大きさが低下するように目標輝度を生成し、
前記発光素子の輝度を前記使用時間に応じて推定して推定輝度を生成し、
前記推定輝度と前記目標輝度とを比較し、比較結果に基づいて画像信号を補正して前記
発光装置に供給する、
ことを特徴とする発光装置の制御方法。
【請求項１６】
各々がＲＧＢ色のいずれかを発光する複数の発光素子を備え、供給される画像信号に従
って前記複数の発光素子を発光させる発光装置を制御する発光装置の制御方法であって、
前記発光素子の使用時間に応じて白色の色度が黒体放射軌跡上を推移するように目標色
度を生成し、
前記複数の発光素子の一部又は全部の色度を検出色度として検出し、
前記検出色度と前記目標色度とを比較し、比較結果に基づいて画像信号を補正して前記
発光装置に供給する、
ことを特徴とする発光装置の制御方法。
【請求項１７】
各々がＲＧＢ色のいずれかを発光する複数の発光素子を備え、供給される画像信号に従
って前記複数の発光素子を発光させる発光装置を制御する発光装置の制御方法であって、
前記発光素子の使用時間に応じて白色の色度が黒体放射軌跡上を推移するように目標色
度を生成し、
前記複数の発光素子の色度を前記使用時間に応じて推定して推定色度を生成し、
前記推定色度と前記目標色度とを比較し、比較結果に基づいて画像信号を補正して前記
発光装置に供給する、
ことを特徴とする発光装置の制御方法。
【発明の詳細な説明】
【技術分野】
【０００１】
本発明は、有機発光ダイオード（以下「ＯＬＥＤ（Organic  Light  Emitting  Diode
）」という）素子などの発光素子の輝度を制御する技術に関する。
【背景技術】
【０００２】
発光素子を含む複数の画素をマトリクス状に配列した発光装置が各種の電子機器の表示
装置として利用されている。この種の発光装置においては、各発光素子の特性がばらつく
と、各画素の輝度のムラが問題となる。また、発光素子は使用時間が経過すると、駆動信
号に対する発光輝度が低下する。このため、経時変化を含めて駆動信号の大きさを補正し
て所望の輝度で発光素子を発光させる技術が提案されている。
【０００３】
くわえて、カラー表示においては、ＲＧＢの各色に対応した発光素子を用いることがあ
る。経時劣化の特性は、発光素子の発光色によって異なるのが一般的である。このため、
特許文献１には、使用時間が経過しても各色の発光輝度を一定に保つように駆動信号の大
きさを補正する技術が開示されている。この技術によれば、ホワイトバランスを維持でき
るという利点がある。
【特許文献１】特開平２００３−３２５５６５号公報（請求項１）
【発明の開示】
【発明が解決しようとする課題】
【０００４】
しかしながら、従来の技術では、使用時間が経過しても常に駆動信号の大きさを一定に
保つため、発光素子の寿命を短くするといった欠点がある。この点について、図２１を参
照して説明する。図２１に示す劣化特性Ｑ１は、ある発光素子を一定レベルの駆動信号で
駆動した場合の輝度の経時変化を示している。従来の技術では、時間の経過と共に初期状
態の目標輝度Ｒから輝度が低下するのを駆動信号の大きさを大きくすることによって補正
する。つまり、本来は劣化特性Ｑ１であるところ、矢印分だけ輝度が高くなるように駆動
信号の大きさを制御する。この結果、発光素子に加わる負荷が増大し、劣化速度が加速さ
れ、劣化特性は図中Ｑ２で示す特性に変化する。
【０００５】
この点は、単色の表示でもカラー表示でも同様である。特に、カラー表示においては、
劣化が大きい色の発光素子の駆動信号の大きさをホワイトバランスが取れるように補正す
るので、他の色の発光素子について寿命が達する前に、劣化が大きい色の発光素子の寿命
が尽きてしまう。
このような事情に鑑みて、本発明は、発光素子の寿命が短くなるという課題の解決を目
的としている。
【課題を解決するための手段】
【０００６】
この課題を解決するために、本発明に係る発光制御装置は、複数の発光素子を備えた発
光装置に対して入力画像信号を補正した出力画像信号を供給するものであって、前記発光
素子の使用時間が長くなると大きさが低下するように設定された目標輝度を前記使用時間
に応じて生成する目標輝度生成手段と、前記複数の発光素子の一部又は全部の輝度を検出
輝度として検出する輝度検出手段と、前記検出輝度と前記目標輝度とを比較した結果であ
る輝度比較結果に基づいて前記入力画像信号を補正して前記出力画像信号を生成する補正
手段と（例えば、図１に示す輝度劣化判定部１５０及び輝度調整部１１０）を備える。
【０００７】
この発明によれば、目標輝度を初期状態において発光素子が発光する輝度に固定するの
ではなく、使用時間に応じて大きさが低下するように設定する。発光素子は、使用時間が
経過すると発光輝度が低下する。初期状態の輝度を維持するためには、発光素子に供給す
る駆動信号の大きさを大きくする必要がある。しかしながら、駆動信号の大きさを大きく
すると、輝度劣化の速度が加速され、発光素子の寿命が短くなる。本発明は、使用時間に
応じて目標輝度の大きさが低下するように設定する。これにより、発光素子の寿命を延ば
すことができる。なお、輝度比較結果は、検出輝度と前記目標輝度との比である輝度比で
あることが好ましい。また、補正手段は、検出輝度が目標輝度に近づくように入力画像信
号を補正して出力画像信号を生成することが好ましい。ここで、使用時間は、点灯した時
間を発光素子ごとに累積した時間であってもよいし、発光装置の電源がオン状態となる期
間を累積した時間であってもよい。後者の場合は、発光素子ごとに使用時間を管理しなく
てもよいので、構成を簡素化できる。
【０００８】
上述した発光制御装置において、前記輝度検出手段は、前記複数の発光素子の各々の輝
度を検出し前記検出輝度として出力し、前記目標輝度生成手段は、前記使用時間と目標輝
度係数とを対応付けて記憶した目標輝度係数保持手段と、前記使用時間に応じて前記目標
輝度係数保持手段から読み出した前記目標輝度係数と前記入力画像信号を演算して前記目
標輝度を生成する演算手段とを備えることが好ましい（例えば、第１実施形態の画像処理
装置１００Ａ）。この場合には、常に、目標輝度と検出輝度とを比較し（例えば、輝度比
の算出）、輝度比較結果に基づいて入力画像信号を補正することができる。しかも、例え
ば、測定用に全画面を最大輝度にするといった特別な画面を表示する必要もない。
【０００９】
また、上述した発光制御装置において、表示モードにおいて前記出力画像信号を出力し
、測定モードにおいて所定の階調を表示させる基準画像信号を出力して、前記発光装置に
供給する選択手段（例えば、図５の選択部１６０）を備え、前記目標輝度生成手段は、前
記使用時間と前記目標輝度とを対応付けて記憶した目標輝度保持手段を備え、前記補正手
段は、前記測定モードにおいて前記検出輝度と前記目標輝度とを比較して輝度比較情報を
生成し、前記表示モードにおいて、前記輝度比較情報に基づいて前記入力画像信号を補正
して前記出力画像信号を生成することが好ましい。この場合には、測定モードにおいて発
光装置を基準画像信号で発光させるので、輝度検出手段が複数の発光素子の各々について
輝度を検出する必要がない。従って、輝度検出手段の構成を簡易にできる。なお、測定モ
ードは、発光装置の電源スイッチが操作されて電源が投入された直後、あるいは、電源ス
イッチが操作されて遮断の指示が入力されてから実際の電源が遮断されるまでの間に設定
することが、利用者に不自然な画像を見せない観点より好ましい。
【００１０】
また、上述した発光制御装置において、前記複数の発光素子は画像の表示に寄与しない
特定の発光素子（例えば、図６に示すダミー画素１３）を含み、前記輝度検出手段は、前
記特定の発光素子の輝度を検出して前記検出輝度として出力し、前記目標輝度生成手段は
、前記使用時間と前記目標輝度とを対応付けて記憶した目標輝度保持手段を備えることが
好ましい。この場合、特定の発光素子は、画像の表示に寄与しないので、表示画像の品質
を向上することができ、常に、輝度劣化を補正することが可能となる。
【００１１】
次に、本発明に係る他の発光制御装置は、複数の発光素子を備えた発光装置に対して入
力画像信号を補正した出力画像信号を供給するものであって、前記発光素子の使用時間が
長くなると大きさが低下するように設定された目標輝度を前記使用時間に応じて生成する
目標輝度生成手段と、前記複数の発光素子の輝度を前記使用時間に応じて推定して推定輝
度を生成する推定輝度生成手段と、前記推定輝度と前記目標輝度とを比較した結果である
輝度比較結果に基づいて前記入力画像信号を補正して前記出力画像信号を生成する補正手
段とを備える（例えば、図７に示す発光制御装置１００Ｄ）。この発明によれば、発光素
子の輝度を推定するので、輝度検出手段を省略して構成を簡易にすることができる。輝度
比較結果は推定輝度と目標輝度との比である輝度比であることが好ましい。
【００１２】
より具体的には、前記目標輝度生成手段は、前記使用時間と目標輝度係数とを対応付け
て記憶した目標輝度係数保持手段と、前記使用時間に応じて前記目標輝度係数保持手段か
ら読み出した前記目標輝度係数と前記入力画像信号を演算して前記目標輝度を生成する演
算手段とを備え、前記推定輝度生成手段は、前記使用時間と推定輝度係数とを対応付けて
記憶した推定輝度係数保持手段と、前記使用時間に応じて前記推定輝度係数保持手段から
読み出した前記推定輝度係数と前記入力画像信号を算出して前記推定輝度を生成する算出
手段とを備えることが好ましい。この場合には、目標輝度係数と推定輝度係数を使用時間
に対応付けて記憶し、これらに基づいて目標輝度と推定輝度を生成することができる。
【００１３】
また、上述した発光制御装置は、複数の発光素子を備えた発光装置に対して入力画像信
号を補正した出力画像信号を供給するものであって、前記発光素子の使用時間が長くなる
と大きさが低下するように設定された目標輝度と前記複数の発光素子の輝度を前記使用時
間に応じて推定した推定輝度との比較結果である輝度比較情報を前記使用時間に対応付け
て記憶した記憶手段と、前記使用時間に応じて前記記憶手段から読み出した前記輝度比較
情報に基づいて前記入力画像信号を補正して前記出力画像信号を生成する補正手段とを備
える。この発明によれば、輝度比較情報を記憶手段に記憶するので、目標輝度係数や推定
輝度係数といった２種類の変数を記憶する必要がない。従って、記憶手段の記憶容量を削
減することができる。
【００１４】
次に、本発明に係わる他の発光制御装置は、各々がＲＧＢ色のいずれかを発光する複数
の発光素子を備えた発光装置に対して入力画像信号を補正した出力画像信号を供給するも
のであって、前記発光素子の使用時間に応じて白色の色度が黒体放射軌跡上を推移するよ
うに目標色度を生成する目標色度生成手段と、前記複数の発光素子の一部又は全部の色度
を検出色度として検出する色度検出手段と、前記検出色度と前記目標色度と比較した結果
である色度比較結果に基づいて前記入力画像信号を補正して前記出力画像信号を生成する
補正手段とを備える。
【００１５】
この発明によれば、発光素子の使用時間が経過した場合に、白色の色度を一定に保つの
ではなく、使用時間に応じて白色の色度が黒体放射軌跡上を推移するように目標色度を設
定する。ＲＧＢ色を発光する発光素子の劣化の程度は、発光色によって相違する。このた
め、ホワイトバランスを初期状態に維持しようとすると、劣化の程度の大きい発光素子に
供給する駆動信号の大きさを大きくする必要がある。すると、当該発光素子の劣化速度が
より大きくなり、他の発光素子に比較して寿命がより一層短くなる。この発明によれば、
使用時間に応じて白色の色度を変化させるため、劣化の程度の大きい発光素子の寿命を延
ばすことができる。しかも、目標とする白色の輝度は、黒体放射軌跡上を推移するように
設定されるので、表示される画像は自然な白色となる。ここで、目標の色度を黒体放射軌
跡上に沿って推移させる方向は、色温度の低い方向と高い方向の２方向が考えられ、いず
れを選択するかは、発光素子の劣化を小さくする方向とすればよい。すなわち、ＲＧＢ色
の発光素子うち最も劣化速度の大きい発光素子の発光色が白色に寄与する割合が少なくな
る方向を選択すればよい。例えば、Ｂ色の発光素子の劣化速度が最も大きい場合には、色
温度が低くなる方向に目標色度を推移させればよい。なお、色度比較結果は検出色度と目
標色度との比である色度比であってもよい。
【００１６】
この発光制御装置において、前記複数の発光素子の一部又は全部の輝度を検出輝度とし
て検出する輝度検出手段と、前記発光素子の使用時間が長くなると大きさが低下するよう
に設定された目標輝度を前記使用時間に応じて生成する目標輝度生成手段とを備え、前記
補正手段は、前記検出輝度と前記目標輝度とを比較した結果である輝度比較結果及び前記
色度比較結果に基づいて前記入力画像信号を補正して前記出力画像信号を生成することが
好ましい。この場合には、白色の色度のみならず白色の輝度も考慮して、補正を施すこと
ができるので、発光素子の寿命をより一層延ばすことが可能となる。
【００１７】
次に、本発明に係る他の発光制御装置は、各々がＲＧＢ色のいずれかを発光する複数の
発光素子を備えた発光装置に対して入力画像信号を補正した出力画像信号を供給するもの
であって、前記発光素子の使用時間に応じて白色の色度が黒体放射軌跡上を推移するよう
に目標色度を生成する目標色度生成手段と、前記複数の発光素子の色度を前記使用時間に
応じて推定して推定色度を生成する推定色度生成手段と、前記推定色度と前記目標色度と
を比較した結果である色度比較結果に基づいて前記入力画像信号を補正して前記出力画像
信号を生成する補正手段とを備える。この発明によれば、発光装置の色度を直接検出する
のではなく、これを推定するので、色度検出手段を省略することができる。
【００１８】
さらに、発光制御装置は、前記発光素子の使用時間が長くなると大きさが低下するよう
に設定された目標輝度を前記使用時間に応じて生成する目標輝度生成手段と、前記複数の
発光素子の輝度を前記使用時間に応じて推定して推定輝度を生成する推定輝度生成手段と
を備え、前記補正手段は、前記推定輝度と前記目標輝度とを比較した結果である輝度比較
結果及び前記色度比較結果に基づいて前記入力画像信号を補正して前記出力画像信号を生
成することが好ましい。この場合には、白色の輝度を考慮して、補正を施すことができる
ので、発光素子の寿命をより一層延ばすことができる。くわえて、発光装置の輝度を直接
検出するのではなく、これを推定するので、輝度検出手段を省略することができる。
【００１９】
次に、本発明に係る表示装置は、複数の発光素子を備え、供給される画像信号の大きさ
に応じた輝度で前記複数の発光素子を発光させる発光装置と、上述した発光制御装置とを
備える。この表示装置によれば、発光素子の寿命が延びるので、表示装置全体の寿命を延
ばすことができる。
次に、本発明に係る電子機器は、上述した表示装置を備える。このような電子機器とし
ては、パーソナルコンピュータや携帯電話機などがある。
【００２０】
次に、本発明に係る発光装置の制御方法は、複数の発光素子を備え、供給される画像信
号に従って前記複数の発光素子を発光させる発光装置を制御する方法であって、前記発光
素子の使用時間が長くなると大きさが低下するように目標輝度を生成し、前記複数の発光
素子の一部又は全部の輝度を検出輝度として検出し、前記検出輝度と前記目標輝度とを比
較し、比較結果に基づいて画像信号を補正して前記発光装置に供給することを特徴とする
。この発明によれば、目標輝度を固定して補正するのではなく、使用時間に応じて目標輝
度の大きさが低下するように変化させるので、発光素子の寿命を延ばすことができる。
【００２１】
また、本発明に係る他の発光装置の制御方法は、複数の発光素子を備え、供給される画
像信号に従って前記複数の発光素子を発光させる発光装置を制御する発光装置の制御方法
であって、前記発光素子の使用時間が長くなると大きさが低下するように目標輝度を生成
し、前記発光素子の輝度を前記使用時間に応じて推定して推定輝度を生成し、前記推定輝
度と前記目標輝度とを比較し、比較結果に基づいて画像信号を補正して前記発光装置に供
給することを特徴とする。この発明によれば、発光装置の輝度を推定するので、輝度を検
出しなくてもすむ。
【００２２】
また、本発明に係る他の発光装置の制御方法は、各々がＲＧＢ色のいずれかを発光する
複数の発光素子を備え、供給される画像信号に従って前記複数の発光素子を発光させる発
光装置を制御する方法であって、前記発光素子の使用時間に応じて白色の色度が黒体放射
軌跡上を推移するように目標色度を生成し、前記複数の発光素子の一部又は全部の色度を
検出色度として検出し、前記検出色度と前記目標色度とを比較し、比較結果に基づいて画
像信号を補正して前記発光装置に供給することを特徴とする。この発明によれば、白色の
色度を使用時間に応じて変化させるので、発光素子の寿命を延ばすことができる。しかも
、目標色度を黒体放射軌跡に沿って推移させるので、自然な白色を表示させることができ
る。
【００２３】
また、本発明に係る他の発光装置の制御方法は、各々がＲＧＢ色のいずれかを発光する
複数の発光素子を備え、供給される画像信号に従って前記複数の発光素子を発光させる発
光装置を制御する発光方法であって、前記発光素子の使用時間に応じて白色の色度が黒体
放射軌跡上を推移するように目標色度を生成し、前記複数の発光素子の色度を前記使用時
間に応じて推定して推定色度を生成し、前記推定色度と前記目標色度とを比較し、比較結
果に基づいて画像信号を補正して前記発光装置に供給することを特徴とする。この発明に
よれば、発光装置の色度を推定するので、色度を検出しなくてもすむ。
【発明を実施するための最良の形態】
【００２４】
＜１：第１実施形態＞
図１は、本発明の第１実施形態に係る表示装置の構成を示すブロック図である。この表
示装置１Ａは、各種の電子機器に搭載されて画像を表示するために用いられ、図１に示さ
れるように、複数の画素Ｐが配列された発光装置１０と、発光装置１０が表示する画像に
ついて所定の処理を実行する画像処理装置１００Ａとを含む。
【００２５】
発光装置１０は、Ｘ方向（行方向）に延在するｍ本の走査線１２と、Ｘ方向と直交する
Ｙ方向（列方向）に延在するｎ本のデータ線１４とを含む（ｍおよびｎは自然数）。各画
素Ｐは、発光装置１０に画定された所定の領域（以下「表示領域」という）１１のうち走
査線１２とデータ線１４との各交差に対応する位置に配置される。したがって、これらの
画素Ｐは、Ｘ方向およびＹ方向にわたって縦ｍ行×横ｎ列のマトリクス状に配列する。ひ
とつの画素Ｐは、発光装置１０が出力する画像の最小の単位となる要素であり、電気エネ
ルギの付与によって駆動される発光素子を含む。本実施形態の発光素子は、相互に対向す
る陽極と陰極との間隙に有機ＥＬ（ElectroLuminescent）材料からなる発光層を介在させ
た構造のＯＬＥＤ素子（発光素子）である。このＯＬＥＤ素子は白色で発光し、その前面
に設けられたＲＧＢ色のカラーフィルターによって、カラー表示が可能となっている。な
お、ＯＬＥＤ素子はＲＧＢの各色で発光する発光素子を用いてもよい。
【００２６】
発光装置１０は、各画素Ｐを駆動する走査線駆動回路１６およびデータ線駆動回路１８
を含む。走査線駆動回路１６は、複数の走査線１２の各々を順番に選択する回路である。
データ線駆動回路１８は、各画素Ｐに指定される階調に応じたレベル（電圧値または電流
値）のデータ信号を各データ線１４に出力する。各画素Ｐの輝度は、画像処理装置１００
Ａから出力される出力画像信号Ｇoutによって指定される。走査線駆動回路１６が選択し
た走査線１２に対応する各画素Ｐは、その選択時のデータ信号に応じた電気エネルギが発
光素子に付与されることで、所定の輝度に制御される。
【００２７】
画像処理装置１００Ａには入力画像信号Ｇinが供給される。この入力画像信号Ｇinは、
表示装置１Ａが搭載される電子機器のＣＰＵ（Central  Processing  Unit）など各種の
上位装置から供給されるデジタル信号である。入力画像信号Ｇinは、画素Ｐの輝度を指定
する。画像処理装置１００Ａは、発光素子の劣化を考慮して、入力画像信号Ｇinを補正し
て得た出力画像信号Ｇoutをデータ線駆動回路１８に出力する。なお、図１においては画
像処理装置１００Ａが発光装置１０とは別個の要素として図示されているが、画像処理装
置１００Ａの一部または全部は、発光装置１０に実装されていてもよいし、走査線駆動回
路１６やデータ線駆動回路１８のＩＣチップに搭載されていてもよい。
【００２８】
画像処理装置１００Ａは、輝度調整部１１０、時間計測部１２０、目標輝度生成部１３
０、輝度検出部１４０、及び輝度劣化判定部１５０を備える。時間計測部１２０は、装置
を使用している期間に時間を計測し、累算した時間を使用時間Ｄｔとして出力する。より
詳細には、使用時間Ｄｔは、点灯した時間をＯＬＥＤ素子ごとに累積した時間であっても
よいし、発光装置１０の電源がオン状態となる期間を累積した時間であってもよい。後者
の場合は、ＯＬＥＤ素子ごとに使用時間Ｄｔを管理しなくてもよいので、構成を簡素化で
きる。目標輝度生成部１３０は、目標輝度係数保持部１３１と演算部１３２とを備える。
目標輝度係数保持部１３１は使用時間Ｄｔと目標輝度係数Ｘａとを対応付けて記憶してお
り、使用時間Ｄｔに対応する目標輝度係数Ｋａを出力する。目標輝度係数Ｘａとは、入力
画像信号Ｇinが所定の階調を指示するとき、初期状態（劣化がない状態）におけるＯＬＥ
Ｄ素子の発光輝度をＸ、補正を施した現在の状態においてＯＬＥＤ素子を発光させる輝度
をＸａとしたとき、Ｋａ＝Ｘａ／Ｘで与えられる。演算部１３２は入力画像信号Ｇinに目
標輝度係数Ｘａを乗算して、入力画像信号Ｇinに応じた目標輝度Ｌａを生成する。
【００２９】
図２に入力画像信号Ｇinが最大の階調を指示する場合の目標輝度Ｌａmaxと劣化特性Ｑ
１の関係を示す。本実施形態においては、目標輝度Ｌａmaxを一定に設定するものではな
く、使用時間に応じて変化させている。図示する例では、目標輝度Ｌａmaxは時間経過に
ともなって単調に減少する。この場合、画像処理装置１００Ａは発光輝度を矢印分だけ下
げるように入力画像信号Ｇinを補正して出力画像信号Ｇoutを生成する。発光装置１０は
、上述したように出力画像信号Ｇoutの値に応じてＯＬＥＤ素子の駆動信号の大きさを設
定する。ここで、劣化特性Ｑ１は一定の大きさでＯＬＥＤ素子を駆動した場合の使用時間
と輝度の関係を示すものである。この例では、駆動信号の大きさを時間経過にともなって
減少させるのでＯＬＥＤ素子の劣化速度は、一定レベルで駆動する場合より延びる。
【００３０】
図３に劣化特性Ｑ１と補正後の劣化特性Ｑ２を示す。この図に示されるように、目標輝
度Ｌａmaxを使用時間の経過に伴って単調に減少させると、ＯＬＥＤ素子の劣化速度が遅
くなり、寿命を延ばすことができる。即ち、本実施形態では、ある程度の輝度劣化を許容
することによって発光装置１０の寿命を大幅に延ばすことが可能となる。
ここで、発光輝度として許容できる最低の輝度を許容輝度Ｌminとすると、目標輝度Ｌ
ａmaxは劣化特性Ｑ２の許容輝度Ｌminに対応する点Ｚを通過することが好ましい。この場
合には、ＯＬＥＤ素子の発光輝度が許容輝度Ｌminに達した時間Ｔｘに至る時点で、補正
量が「０」となり、寿命に達することになる。もっとも、目標輝度Ｌａmaxの傾きを図に
示すものより緩やかにしてもよい。
【００３１】
説明を図１に戻す。輝度検出部１４０は表示領域１１の輝度を検出し、検出輝度Ｌｂと
して出力する。輝度劣化判定部１５０は目標輝度Ｌａと検出輝度Ｌｂに基づいてＯＬＥＤ
素子の劣化の程度を特定し、輝度制御信号ＣＴＬ１を生成する。具体的には、Ｌａ／Ｌｂ
を輝度制御係数ｎ（輝度比）として算出し、輝度制御係数ｎを示す輝度制御信号ＣＴＬ１
とする。輝度調整部１１０は、輝度制御信号ＣＴＬ１に基づいて、ＯＬＥＤ素子の発光輝
度（検出輝度Ｌｂ）が目標輝度Ｌａとなるように出力画像信号Ｇoutを生成する。具体的
には、入力画像信号Ｇinに輝度制御係数ｎを乗算して、出力画像信号Ｇoutを生成する。
【００３２】
上述した画像処理装置１００Ａの機能は、ＣＰＵ等のコンピュータにおける処理で実現
することも可能である。
図４は、ＣＰＵを用いて画像処理装置１００Ａを構成した場合の動作を示すフローチャ
ートである。まず、ＣＰＵは、表示輝度を検出し（ステップＳ１）、輝度劣化を判定する
（ステップＳ２）。そして、輝度劣化の程度に応じて、表示輝度が目標輝度となるように
輝度制御信号を生成し（ステップＳ３）、輝度制御信号に基づいて入力画像信号を補正し
て出力画像信号を生成する（ステップＳ４）。続いて、出力画像信号を発光装置１０に供
給して画像を表示させる（ステップＳ５）。ＣＰＵは表示終了か否かを判定し、表示終了
でない場合には処理をスッテプＳ１に戻し、ステップＳ１〜Ｓ６までの処理を繰り返す。
一方、表示終了である場合には処理を終了する。
このように本実施形態においては、使用時間に応じて目標輝度を低下させることにより
、ＯＬＥＤ素子の劣化速度を制御したので、ＯＬＥＤ素子の寿命を大幅に延ばすことが可
能となる。
【００３３】
＜２：第２実施形態＞
図５は、本発明の第２実施形態に係る表示装置の構成を示すブロック図である。この表
示装置１Ｂは、画像処理装置１００Ａの替わりに画像処理装置１００Ｂを用いる点を除い
て、図１に示す第１実施形態の表示装置１Ａと同様に構成されている。上述した第１実施
形態においては、リアルタイムで輝度の劣化を測定し、この測定結果を表示輝度に反映さ
せていた。このため、輝度検出部１４０は各画素Ｐの輝度を各々検出する必要があった。
第２実施形態では、所定のタイミングで表示輝度を測定し、輝度制御信号ＣＴＬ１を生成
する点で第１実施形態と相違する。
【００３４】
画像処理装置１００Ｂは、選択部１６０が追加された点と目標輝度生成部１３０の替わ
りに目標輝度生成部１３０ａを用いる点が画像処理装置１００Ａと相違する。選択部１６
０は、通常の表示モードでは入力画像信号Ｇinを選択する一方、測定モードでは基準画像
信号Ｇrefを選択する。すなわち、測定モードでは基準画像信号Ｇrefが発光装置１０に供
給される一方、表示モードでは補正が施された出力画像信号Ｇoutが発光装置１０に供給
される。基準画像信号Ｇrefは所定の階調（例えば、最大階調）を指定する。輝度調整部
１１０は測定モードにおいて基準画像信号Ｇrefをそのまま出力画像信号Ｇoutとして出力
する一方、表示モードでは、第１実施形態と同様に輝度制御信号ＣＴＬ１に基づいて、入
力画像信号Ｇinを補正して出力画像信号Ｇoutを生成する。
【００３５】
また、目標輝度生成部１３０ａは目標輝度保持部１３３を備える。目標輝度保持部１３
３は、基準画像信号Ｇrefの階調における目標輝度Ｌａを使用時間Ｄｔに対応付けて記憶
しており、使用時間Ｄｔが時間計測部１２０から供給されると、対応する目標輝度Ｌａを
出力する。例えば、基準画像信号Ｇrefが最大階調を指示する場合には、目標輝度Ｌａは
図２に示す目標輝度Ｌａmaxと一致する。輝度劣化判定部１５０は、測定モードにおいて
検出輝度Ｌｂと目標輝度Ｌａに基づいて輝度制御信号ＣＴＬ１を生成する。具体的にはＬ
ａ／Ｌｂ（輝度比）を算出して、この算出結果を示す輝度制御信号ＣＴＬ１を生成し、こ
れを図示せぬメモリに記憶する。そして、輝度劣化判定部１５０は、表示モードにおいて
輝度制御信号ＣＴＬ１をメモリから読み出して、輝度調整部１１０に供給する。なお、輝
度劣化判定部ＣＴＬは、測定モードにおいて輝度制御信号ＣＴＬ１の値を可変させ、目標
輝度Ｌａと検出輝度Ｌｂが一致したときの値をメモリに記憶するようにしてもよい。なお
、一旦、記憶された輝度制御信号ＣＴＬ１は、次の測定モードにおいて、その値が更新さ
れるまで維持される。
【００３６】
この表示装置１Ｂによれば、画面全体を同一の輝度で発光させ、これを輝度検出部１４
０で検出すればよいので、画素Ｐごとに表示輝度を検出しなくてもよい。このため、輝度
検出部１４０の構成を簡易なものにすることができる。
なお、測定モードは、例えば、表示装置１Ａに電源が投入された直後の所定期間、ある
いは、電源の遮断指示が入力されてから実際に電源が遮断されるまでの期間の一部又は全
部に設定すればよい。前者は、表示に先立って補正することが可能となるので、表示輝度
をより正確に目標輝度に近づけることができる。一方、後者は、ユーザが画像表示を希望
するときに以前の測定結果を用いて直ちに画像を表示することが可能となる。
【００３７】
＜３：第３実施形態＞
図６は、本発明の第３実施形態に係る表示装置の構成を示すブロック図である。この表
示装置１Ｃは、発光パネル１０において、表示領域１１の外側で画像が表示されない非表
示領域にダミー画素１３を設け、これに隣接してセンサ１５を設けた点を除いて、図５に
示す第２実施形態の表示装置１Ｂと同様に構成されている。
【００３８】
この画像処理装置１００Ｂにおいて、選択部１６０は、１フレームに１回、基準画像信
号Ｇrefを選択する。ダミー画素１３は、基準画像信号Ｇrefの指示する階調に応じた輝度
で発光する。センサ１５はダミー画素１３のＯＬＥＤ素子の光量を電気信号に変換して輝
度検出部１４０に出力する。センサ１５は例えばフォトトランジスタで構成される。
以上の構成によれば、表示すべき画像と無関係に発光させるダミー画素１３を用いて、
輝度劣化を常時計測することができるので、測定モードと表示モードを分けて表示装置１
Ｃを動作させる必要はなく、リアルタイムで輝度劣化を補正することが可能となる。なお
、ダミー画素のＯＬＥＤ素子を常時、一定のレベルで駆動して選択部１６０を省略しても
よい。
【００３９】
＜４：第４実施形態＞
図７は、本発明の第４実施形態に係る表示装置の構成を示すブロック図である。この表
示装置１Ｄは、画像処理装置１００Ａの替わりに画像処理装置１００Ｄを用いる点を除い
て、図１に示す第１実施形態の表示装置１Ａと同様に構成されている。上述した第１実施
形態では、リアルタイムで輝度の劣化を測定し、この測定結果を表示輝度に反映させてい
た。このため、画像処理装置１００Ａは輝度検出部１４０を備える。本実施形態の画像処
理装置１００Ｄは、輝度検出部１６０の替わりに推定輝度生成部１８０を備える点で、上
述した画像処理装置１００Ａと相違する。
【００４０】
推定輝度生成部１８０は、使用時間Ｄｔに基づいてＯＬＥＤ素子の劣化を予測して、現
在の状態のＯＬＥＤ素子の発光輝度を推定し、推定輝度Ｌｅを生成する。推定輝度生成部
１８０は、算出部１８１と推定輝度係数保持部１８２を備える。推定輝度係数保持部１８
２は、推定輝度係数Ｋｂを使用時間Ｄｔに対応付けて記憶しており、使用時間Ｄｔが時間
計測部１２０から供給されると、推定輝度係数Ｋｂを出力する。推定輝度係数Ｋｂは、入
力画像信号Ｇinが所定の階調を指示するとき、初期状態（劣化がない状態）においてＯＬ
ＥＤ素子の発光輝度をＸ、現在の状態において補正なしにＯＬＥＤ素子を発光させた場合
の輝度をＸｂとしたとき、Ｋｂ＝Ｘｂ／Ｘで与えられる。算出部１８１は、入力画像信号
Ｇinに推定輝度係数Ｋｂを乗算して推定輝度Ｌｅを算出する。図８にある使用時間Ｔａに
おける初期状態の輝度Ｘと現在の輝度Ｘｂの関係を示す。
【００４１】
輝度劣化判定部１５０は目標輝度Ｌａと推定輝度Ｌｅに基づいてＯＬＥＤ素子の劣化の
程度を特定し、輝度制御信号ＣＴＬ１を生成する。具体的には、Ｌａ／Ｌｅ（輝度比）を
輝度制御係数ｎとして算出し、輝度制御係数ｎを示す輝度制御信号ＣＴＬ１とする。
このように本実施形態においては、推定輝度生成部１８０によって現在のＯＬＥＤ素子
の劣化を推定して推定輝度Ｌｅを生成したので、輝度検出部１６０を省略することができ
、構成を簡易にできる。
【００４２】
なお、輝度制御係数ｎは以下に示す式（１）で与えられる。
ｎ＝Ｌａ／Ｌｅ＝（Ｇin*Ｋａ）／（Ｇin*Ｋｂ）＝Ｋａ／Ｋｂ…（１）
このため、演算部１３１および算出部１８１を省略して目標輝度係数Ｋａと推定輝度係
数Ｋｂを輝度劣化判定部１５０に供給し、輝度劣化判定部１５０において式（１）を演算
することによって、輝度制御係数ｎを算出してもよい。
【００４３】
さらに、式（１）は以下に示す式（２）に変形できる。
ｎ＝Ｋａ／Ｋｂ＝Ｘａ／Ｘｂ…（２）
すなわち、輝度制御係数ｎは、現在の使用時間Ｄｔにおいて、所定の階調が入力された
ときにＯＬＥＤ素子を発光させる目標輝度と、補正がないとした場合にＯＬＥＤ素子が発
光する発光輝度を推定して得られた推定輝度の輝度比である。そこで、画像処理装置１０
０Ｅを図９に示すように構成してもよい。輝度制御係数保持部１９０は、輝度制御係数ｎ
を使用時間Ｄｔに対応付けて記憶している。輝度制御係数保持部１９０に使用時間Ｄｔが
時間計測部１２０から供給されると、輝度制御係数ｎが読み出され、これが輝度制御信号
ＣＴＬ１として輝度調整部１１０に供給される。この例によれば、画像処理装置１００Ｅ
の構成を簡易なものにすることができる。
【００４４】
＜５：第５実施形態＞
図１０は、本発明の第５実施形態に係る表示装置の構成を示すブロック図である。この
表示装置２Ｂは、画像処理装置１００Ｂの替わりに画像処理装置２００Ｂを用いる点、発
光素子としてＲＧＢ各色を発光する３種類のＯＬＥＤ素子を用いる点を除いて、図５に示
す第２実施形態の表示装置１Ｂと同様に構成されている。上述した第１乃至第４実施形態
では、輝度を補正するものであったが、本実施形態は、輝度と色度の双方を補正し、これ
によって、ＯＬＥＤ素子の高寿命化を図るものである。
【００４５】
画像処理装置２００Ｂは、時間計測部１２０、目標輝度保持部１３３、選択部１６０、
輝度・色度調整部２１０、目標色度保持部２３０、輝度・色度検出部２４０、及び制御信
号生成部２５０を備える。このうち、時間計測部１２０、目標輝度保持部１３３及び選択
部１６０は、第２実施形態と同様に構成されている。目標輝度保持部１３３は、白色の目
標輝度Ｌａと使用時間Ｄｔとを対応付けて記憶している。また、目標色度保持部２３０は
使用時間Ｄｔと白色の目標色度Ｃａとを対応付けて記憶している。
【００４６】
図１１に、白色の目標色度Ｃａと使用時間Ｄｔの関係を示す。この図に示す黒四角は、
使用時間Ｄｔが相違する白色の目標色度Ｃａである。本実施形態では、白色の目標色度Ｃ
ａを使用時間Ｄｔに応じて変化させている。より詳細には、使用時間Ｄｔに応じて、白色
の目標色度Ｃａが黒体放射軌跡Ｖに沿って推移するように設定している。黒体放射軌跡Ｖ
とは、完全黒体（外部の光を一切反射しない物質）を想定し、その黒体が高温になったと
きに放つ色の変化を色度図上にプロットした場合の軌跡である。また、第１乃至第４実施
形態と同様に白色の目標輝度Ｌａを使用時間Ｄｔに応じて変化させている。
【００４７】
このように目標色度Ｃａ及び目標輝度Ｌａを使用時間Ｄｔに応じて変化させるのは、以
下の理由による。例えば、図１２（Ａ）に示すように、初期状態においてＲＧＢ各色のＯ
ＬＥＤ素子の発光色の色度が、ｒ（0.67、0.33）、ｇ（0.21、0.71）、ｂ（0.14、0.08）
であったとする。白色の色度ＷはＷ（0.30、0.30）であり、白色の輝度Ｌｗは１０４ｃｄ
/ｍ２となる。ここで、Ｂ色の輝度が１０４ｃｄ/ｍ２から同図（Ｂ）に示すように５２ｃ
ｄ/ｍ２に半減したとする。この場合、初期状態と同じ白色の輝度を維持するためには、
Ｂ色のＯＬＥＤ素子に２倍の駆動電流を供給して、これを１０４ｃｄ/ｍ２で発光させる
必要がある。しかしながら、２倍の駆動電流を供給すると、Ｂ色のＯＬＥＤ素子の劣化が
より一層加速され、発光パネル１０の寿命が短くなってしまう。
【００４８】
そこで、本実施形態においては、使用時間Ｄｔが経過すると、例えば、同図（Ｃ）に示
すように目標色度Ｃａを設定する。この例では、白色の目標色度ＣａをＷ（0.32、0.33）
としている。この場合、Ｂ色のＯＬＥＤ素子の輝度は、７８ｃｄ／ｍ２となり、初期状態
と比較して駆動電流を約１．３倍に設定すればよい。つまり、図１３に示すようにＢ色の
ＯＬＥＤ素子は初期状態Ｚ０から経時変化によって状態Ｚ１に移行する。このとき、初期
状態Ｚ０を目標とするのでなく、白色の色度に関する条件を緩和して状態Ｚ２となるよう
に補正する。ここで、目標色度Ｃａが黒体放射軌跡上を推移するように設定する。人が白
と感ずる色は黒体放射軌跡上にあり、これを外れると人は色味を感ずる。従って、黒体放
射軌跡上に目標色度Ｃａを設定することによって、自然な色を表示しつつ、発光装置１０
の寿命を延ばすことが可能となる。
【００４９】
説明を図１０に戻す。輝度・色度検出部２４０は、ＲＧＢ色の各々に対応した複数のセ
ンサを備える。選択部１６０は、上述した第２実施形態と同様に測定モードにおいて、白
色の画像を表示させる基準画像信号Ｇrefを選択する。測定モードにおいて、輝度・色度
検出部２４０は、各色の光量を計測し、計測結果に基づいて検出輝度Ｌｂ及び検出色度Ｃ
ｂを生成する。ここで、検出色度Ｃｂは、ＲＧＢ各色の成分Ｃｔｒ（Ｘｔｒ，Ｙｔｒ）、
Ｃｔｇ（Ｘｔｇ，Ｙｔｇ）、Ｃｔｂ（Ｘｔｂ，Ｙｔｂ）から構成される。
【００５０】
制御信号生成部２５０は、上述した実施形態と同様に、白色の目標輝度Ｌａと白色の検
出輝度Ｌｂに基づいて輝度制御信号ＣＴＬ１を生成する。具体的には、輝度制御信号ＣＴ
Ｌ１は以下に示す式（３）で与えられる。
ＣＴＬ１＝Ｌａ／Ｌｂ……（３）
【００５１】
また、制御信号生成部２５０は、ＯＬＥＤ素子の 初期状態における白色の色度IniCrmW
に対する各成分色群の初期比率を保持する。なお、比の総和は「１」になるように調整さ
れている。初期状態におけるＲＧＢ色の各光量をｒｉ，ｇｉ，ｂｉとし、調整された初期
比率をＲｘ，Ｇｘ，Ｂｘとすると、初期比率をＲｘ，Ｇｘ，Ｂｘは、以下の式（４）〜（
６）で与えられる。
Ｒｘ＝ｒｉ／（ｒｉ＋ｇｉ＋ｂｉ）……（４）
Ｇｘ＝ｇｉ／（ｒｉ＋ｇｉ＋ｂｉ）……（５）
Ｂｘ＝ｂｉ／（ｒｉ＋ｇｉ＋ｂｉ）……（６）
【００５２】
制御信号生成部２５０は、検出色度Ｃｔｒ（Ｘｔｒ，Ｙｔｒ）、Ｃｔｇ（Ｘｔｇ，Ｙｔ
ｇ）、Ｃｔｂ（Ｘｔｂ，Ｙｔｂ）並びに目標色度Ｃａ（Ｘｗ，Ｙｗ）に基づいて、ＲＧＢ
色の各成分ｒｔ、ｇｔ、ｂｔを以下の式（７）〜（９）に従って算出する。
ｒｔ＝｛（Ｘｗ−Ｘｔｇ）（Ｙｗ−Ｙｔｂ）−（Ｘｗ−Ｘｔｂ）（Ｙｗ−Ｙｔｇ）｝×
Ｙｔｒ…（７）
ｇｔ＝｛（Ｘｗ−Ｘｔｂ）（Ｙｗ−Ｙｔｒ）−（Ｘｗ−Ｘｔｒ）（Ｙｗ−Ｙｔｂ）｝×
Ｙｔｇ…（８）
ｂｔ＝｛（Ｘｗ−Ｘｔｒ）（Ｙｗ−Ｙｔｇ）−（Ｘｗ−Ｘｔｇ）（Ｙｗ−Ｙｔｒ）｝×
Ｙｔｂ…（９）
ここで、ＲＧＢ色の各成分ｒｔ、ｇｔ、ｂｔは、検出色度Ｃｂと目標色度Ｃａとを比較
した比較結果である。
【００５３】
また、制御信号生成部２５０は、ＲＧＢ色の各成分ｒｔ、ｇｔ、ｂｔの比率の総和が「
１」になるように調整した目標比率Ｒｎ、Ｇｎ、Ｂｎを、以下に示す式（１０）〜（１２
）に従って算出する。
Ｒｎ＝ｒｔ／（ｒｔ＋ｇｔ＋ｂｔ）……（１０）
Ｇｎ＝ｇｔ／（ｒｔ＋ｇｔ＋ｂｔ）……（１１）
Ｂｎ＝ｂｔ／（ｒｔ＋ｇｔ＋ｂｔ）……（１２）
【００５４】
さらに、制御信号生成部２５０は、目標比率Ｒｎ、Ｇｎ、Ｂｎを、初期比率Ｒｘ，Ｇｘ
，Ｂｘで除算して色度制御信号ＣＴＬ２を算出する。色度制御信号ＣＴＬ２は、以下の式
で与えられる。
ＣＴＬ２（ｒ，ｇ，ｂ）＝（Ｒｎ／Ｒｘ，Ｇｎ／Ｇｘ，Ｂｎ／Ｂｘ）……（１３）
次に、輝度・色度調整部２１０は、以下に示す式（１４）に従って出力画像信号Ｇout
を生成する。
Ｇout＝Ｇin×ＣＴＬ１×ＣＴＬ２……（１４）
【００５５】
上述した画像処理装置２００Ｂの機能は、ＣＰＵ等のコンピュータにおける処理で実現
することも可能である。
図１４は、ＣＰＵを用いて画像処理装置２００Ｂを構成した場合の動作を示すフローチ
ャートである。まず、ＣＰＵは、輝度及び色度を検出し（ステップＳ１１）、輝度及び色
度の劣化を判定する（ステップＳ１２）。そして、輝度及び色度の劣化の程度に応じて、
表示輝度及び表示色度が目標輝度及び目標色度となるように輝度制御信号及び色度制御信
号を生成し（ステップＳ１３）、輝度制御信号及び色度制御信号に基づいて入力画像信号
を補正して出力画像信号を生成する（ステップＳ１４）。続いて、出力画像信号を発光パ
ネル１０に供給して画像を表示させる（ステップＳ１５）。ＣＰＵは表示終了か否かを判
定し、表示終了でない場合には処理をスッテプＳ１１に戻し、ステップＳ１１〜Ｓ１６ま
での処理を繰り返す。一方、表示終了である場合には処理を終了する。
【００５６】
このように第５実施形態においては、輝度だけでなく色度についても、使用時間Ｄｔに
応じて変化する目標を設定して、入力画像信号Ｇinを補正して出力画像信号Ｇoutを生成
したので、発光パネル１０の寿命を大幅に延ばすことができる。しかも、目標色度は黒体
放射軌跡上を推移するように設定したので、白色の品質を損なうこともない。
【００５７】
なお、第５実施形態の画像処理装置２００Ｂは、目標輝度保持部１３３及び目標色度保
持部２３０を備えるものであったが、第１実施形態と同様に、これらの替わりに入力画像
信号Ｇinの大きさに応じた目標輝度を生成する目標輝度生成部と目標色度生成部を備える
ものであってもよい。この場合には、輝度・色度検出部２４０は、各画素Ｐに各々対応し
てＯＬＥＤ素子の光量を検出する。そして、目標輝度生成部は、目標輝度係数を使用時間
と対応付けて記憶した目標輝度係数保持部と目標輝度算出部とを備える。使用時間に応じ
た目標輝度係数が目標輝度係数保持部から読み出されると、目標輝度算出部は目標輝度係
数と入力画像信号とを乗算して目標輝度を生成する。また、目標色度生成部は、目標色度
係数を使用時間と対応付けて記憶した目標色度係数保持部と目標色度算出部とを備える。
使用時間に応じた目標色度係数が目標色度係数保持部から読み出されると、目標色度算出
部は目標色度係数と入力画像信号とを乗算して目標色度を生成する。この場合には、測定
モードを設けることなく、常時、補正をすることが可能となる。
【００５８】
＜６：第６実施形態＞
図１５は、本発明の第６実施形態に係る表示装置の構成を示すブロック図である。この
表示装置２Ｃは、画像処理装置１００Ｂの替わりに画像処理装置２００Ｃを用いる点、発
光パネル１０において、表示領域１１の外側で画像が表示されない非表示領域にダミー画
素１３を設け、これに隣接してセンサ１５を設けた点を除いて、図１０に示す第５実施形
態の表示装置２Ｂと同様に構成されている。
この画像処理装置２００Ｂにおいて、選択部１６０は、１フレームに１回、基準画像信
号Ｇrefを選択する。ダミー画素１３は、ＲＧＢ各色を発光する３種類のＯＬＥＤ素子を
備える、基準画像信号Ｇrefの指示する階調に応じた輝度で発光する。センサ１５はダミ
ー画素１３のＯＬＥＤ素子の光量を電気信号に変換して輝度・色度検出部２４０に出力す
る。センサ１５は例えばフォトトランジスタで構成される。
以上の構成によれば、表示すべき画像と無関係に発光させるダミー画素１３を用いて、
輝度の劣化及び色度の劣化を常時計測することができるので、測定モードと表示モードを
分けて表示装置２Ｃを動作させる必要はなく、リアルタイムで画質劣化を補正することが
可能となる。
【００５９】
＜７：第７実施形態＞
図１６は、本発明の第７実施形態に係る表示装置の構成を示すブロック図である。この
表示装置２Ｄは、画像処理装置２００Ｂの替わりに画像処理装置２００Ｄを用いる点を除
いて、図１０に示す第５実施形態の表示装置２Ｂと同様に構成されている。上述した第５
実施形態では、リアルタイムで輝度及び色度の劣化を測定し、この測定結果を出力画像信
号Ｇoutに反映させていた。このため、画像処理装置２００Ｂは輝度・色度検出部２４０
を備える。本実施形態の画像処理装置２００Ｄは、輝度・色度検出部１６０の替わりに輝
度・色度推定部２８０を備える点で、上述した画像処理装置２００Ｂと相違する。
【００６０】
目標輝度生成部１３０は、目標輝度係数を使用時間Ｄｔと対応付けて記憶した目標輝度
係数保持部１３５と目標輝度算出部１３６とを備える。使用時間Ｄｔに応じた目標輝度係
数が目標輝度係数保持部１３５から読み出されると、目標輝度算出部１３６は目標輝度係
数と入力画像信号Ｇinとを乗算して目標輝度Ｌａを生成する。また、目標色度生成部２６
０は、目標色度係数を使用時間Ｄｔと対応付けて記憶した目標色度係数保持部２６５と目
標色度算出部２６６とを備える。使用時間Ｄｔに応じた目標色度係数が目標色度係数保持
部２６５から読み出されると、目標色度算出部２６６は目標色度係数と入力画像信号Ｇin
とを乗算して目標色度Ｃａを生成する。
【００６１】
輝度・色度推定部２８０は、使用時間Ｄｔに基づいてＯＬＥＤ素子の劣化を予測して、
現在の状態のＯＬＥＤ素子の発光輝度を推定し、推定輝度Ｌｅ及び推定色度Ｃｅを生成す
る。輝度・色度推定部２８０は、推定輝度算出部２８１、推定色度算出部２８２、推定輝
度係数保持部２８３、及び推定色度係数保持部２８４を備える。推定輝度係数保持部２８
３は、推定輝度係数Ｋｆを使用時間Ｄｔに対応付けて記憶しており、使用時間Ｄｔが時間
計測部１２０から供給されると、推定輝度係数Ｋｆを出力する。推定輝度係数Ｋｆは、入
力画像信号Ｇinが白色を指示するとき、初期状態（劣化がない状態）においてＯＬＥＤ素
子の発光輝度をＸ、現在の状態において補正なしにＯＬＥＤ素子を発光させた場合の輝度
をＸｂとしたとき、Ｋｆ＝Ｘｂ／Ｘで与えられる。輝度算出部２８１は、入力画像信号Ｇ
inに推定輝度係数Ｋｆを乗算して推定輝度Ｌｅを算出する。
【００６２】
推定色度係数保持部２８４は、推定色度係数Ｋｇを使用時間Ｄｔに対応付けて記憶して
おり、使用時間Ｄｔが時間計測部１２０から供給されると、推定色度係数Ｋｇを出力する
。推定色度係数Ｋｇは、入力画像信号Ｇinが白色の色度を指示するとき、初期状態（劣化
がない状態）においてＯＬＥＤ素子が発光して得られ色度をＸｗ、現在の状態において補
正なしにＯＬＥＤ素子を発光させた場合の色度をＸｃとしたとき、Ｋｇ＝Ｘｃ／Ｘｗで与
えられる。色度算出部２８２は、入力画像信号Ｇinに推定色度係数Ｋｇを乗算して推定色
度Ｃｅを算出する。
【００６３】
制御信号生成部２５０は、検出輝度Ｌｂの替わりに推定輝度Ｌｅを用い、検出色度Ｃｂ
の替わりに推定色度Ｃｅを用いて、輝度制御信号ＣＴＬ１と色度制御信号ＣＴＬ２とを生
成する。
このように本実施形態においては、輝度・色度推定部２８０によって現在のＯＬＥＤ素
子の劣化を予測して推定輝度Ｌｅ及び推定色度Ｃｅを生成したので、輝度・色度検出部２
４０を省略することができ、構成を簡易にできる。
【００６４】
なお、画像処理装置２００Ｄの替わりに図１７に示す画像処理装置２００Ｅを用いても
よい。この場合、輝度・色度制御係数保持部２９０は、輝度制御係数と色度制御係数を使
用時間Ｄｔに対応付けて記憶している。輝度・色度制御係数保持部２９０に使用時間Ｄｔ
が時間計測部１２０から供給されると、輝度制御係数と色度制御係数が読み出され、これ
が輝度制御信号ＣＴＬ１及び色度制御信号ＣＴＬ２として輝度・色度調整部２１０に供給
される。この例によれば、画像処理装置２００Ｅの構成を簡易なものにすることができる
。
【００６５】
＜８：変形例＞
本発明は上述した実施形態に限定されるものではなく、例えば、以下に述べる変形が可
能である。
（１）上述した実施形態においては、ＯＬＥＤ素子を含む画素Ｐを例示したが、画素Ｐに
含まれる発光素子はこの例示に限定されない。例えば、無機ＥＬ材料からなる発光層を含
む素子やＬＥＤ（Light Emitting Diode）素子あるいはプラズマの放電によって発光する
プラズマ発光素子など様々な素子を採用することができる。
【００６６】
（２）上述した実施形態は、ＯＬＥＤ素子の特性劣化をその寿命という長期的な観点から
補正したが、比較的短期間の輝度変動を併せて補正してもよい。例えば、ＯＬＥＤ素子の
発光輝度は、温度や一日の使用時間によっても変動する。輝度検出部１４０を有する第１
乃至第３実施形態、並びに輝度・色度検出部２４０を有する第５及び第６実施形態では、
短期的な変動も補正することができる。一方、輝度を推定する第４実施形態及び輝度・色
度を推定する第７実施形態では、推定輝度Ｌｅ及び推定色度Ｃｅに短期的な変動が反映さ
れるようにすればよい。より具体的には、短期的な変動成分を時間と対応付けて記憶した
記憶部を設け、短期的な時間に応じた変動成分を記憶部から読み出し、これを推定輝度Ｌ
ｅ及び推定色度Ｃｅに反映させるようにすればよい。
【００６７】
＜９：応用例＞
次に、本発明に係る表示装置を利用した電子機器について説明する。図１８は、以上に
説明した何れかの形態に係る表示装置１Ａ〜１Ｄ、又は２Ｂ〜２Ｄを表示装置Ｄとして採
用したモバイル型のパーソナルコンピュータの構成を示す斜視図である。パーソナルコン
ピュータ２０００は、表示装置Ｄと本体部２０１０とを備える。本体部２０１０には、電
源スイッチ２００１およびキーボード２００２が設けられている。この表示装置Ｄは画素
ＰにＯＬＥＤ素子を使用しているので、視野角が広く見易い画面を表示できる。
図１９に、表示装置Ｄを適用した携帯電話機の構成を示す。携帯電話機３０００は、複
数の操作ボタン３００１およびスクロールボタン３００２、ならびに表示装置Ｄを備える
。スクロールボタン３００２を操作することによって、表示装置Ｄに表示される画面がス
クロールされる。
図２０に、表示装置Ｄを適用した携帯情報端末（ＰＤＡ：Personal Digital Assistant
s）の構成を示す。情報携帯端末４０００は、複数の操作ボタン４００１および電源スイ
ッチ４００２、ならびに表示装置Ｄを備える。電源スイッチ４００２を操作すると、住所
録やスケジュール帳といった各種の情報が表示装置Ｄに表示される。
【００６８】
なお、本発明に係る表示装置が適用される電子機器としては、図１８から図２０に示し
たもののほか、デジタルスチルカメラ、テレビ、ビデオカメラ、カーナビゲーション装置
、ページャ、電子手帳、電子ペーパー、電卓、ワードプロセッサ、ワークステーション、
テレビ電話、ＰＯＳ端末、プリンタ、スキャナ、複写機、ビデオプレーヤ、タッチパネル
を備えた機器等などがある。また、本発明に係る発光装置の用途は画像の表示に限定され
ない。例えば、光書込み型のプリンタや電子複写機といった画像形成装置においては、用
紙などの記録材に形成されるべき画像に応じて感光体を露光する書込みヘッドが使用され
るが、この種の書込みヘッドとしても本発明の表示装置は利用される。
【図面の簡単な説明】
【００６９】
【図１】本発明の第１実施形態に係る表示装置１Ａの構成を示すブロック図である。
【図２】目標輝度Ｌａmaxと劣化特性Ｑ１の関係を示すグラフである。
【図３】劣化特性Ｑ１及びＱ２の関係を示すグラフである。
【図４】ＣＰＵを用いて画像処理装置１００Ａを構成した場合の動作を示すフローチャートである。
【図５】本発明の第２実施形態に係る表示装置１Ｂの構成を示すブロック図である。
【図６】本発明の第３実施形態に係る表示装置１Ｃの構成を示すブロック図である。
【図７】本発明の第４実施形態に係る表示装置１Ｄの構成を示すブロック図である。
【図８】ある使用時間Ｔａにおける初期状態の輝度Ｘと現在の輝度Ｘｂの関係を示すグラフである。
【図９】画像処理装置１００Ｅの構成を示すブロック図である。
【図１０】本発明の第５実施形態に係る表示装置２Ｂの構成を示すブロック図である。
【図１１】白色の目標色度Ｃａと使用時間Ｄｔの関係を示す説明図である。
【図１２】使用時間Ｄｔに応じた白色の色度の例を示す説明図である。
【図１３】目標色度Ｃａを説明するための説明図である。
【図１４】ＣＰＵを用いて画像処理装置２００Ｂを構成した場合の動作を示すフローチャートである。
【図１５】本発明の第５実施形態に係る表示装置２Ｃの構成を示すブロック図である。
【図１６】本発明の第６実施形態に係る表示装置２Ｄの構成を示すブロック図である。
【図１７】画像処理装置２００Ｅの構成を示すブロック図である。
【図１８】本発明に係る電子機器の形態（パーソナルコンピュータ）を示す斜視図である。
【図１９】本発明に係る電子機器の形態（携帯電話機）を示す斜視図である。
【図２０】本発明に係る電子機器の形態（携帯情報端末）を示す斜視図である。
【図２１】従来の輝度補正を説明するための説明図である。
【符号の説明】
【００７０】
１Ａ,１Ｂ,１Ｃ,１Ｄ,２Ｂ,２Ｃ,２Ｄ……表示装置、１００Ａ,１００Ｂ,１００Ｄ,１
００Ｅ，２００Ｂ,２００Ｃ,２００Ｄ,２００Ｅ……画像処理装置（発光制御装置）、１
０……発光装置、１３０……目標輝度生成部、１３３……目標輝度保持部、１４０……輝
度検出部、１５０……輝度劣化判定部、１６０……選択部、１８０……推定輝度生成部、
２１０……輝度・色度調整部、２４０……輝度・色度検出部、２５０……制御信号生成部
、Ｌａ……目標輝度、Ｃａ……目標色度、Ｌｂ……検出輝度、Ｃｂ……検出色度、Ｌｅ…
…推定輝度、Ｃｅ……推定色度。
【図１】
2007140325.tif 000003
【図２】
2007140325.tif 000004
【図３】
2007140325.tif 000005
【図４】
2007140325.tif 000006
【図５】
2007140325.tif 000007
【図６】
2007140325.tif 000008
【図７】
2007140325.tif 000009
【図８】
2007140325.tif 000010
【図９】
2007140325.tif 000011
【図１０】
2007140325.tif 000012
【図１１】
2007140325.tif 000013
【図１２】
2007140325.tif 000014
【図１３】
2007140325.tif 000015
【図１４】
2007140325.tif 000016
【図１５】
2007140325.tif 000017
【図１６】
2007140325.tif 000018
【図１７】
2007140325.tif 000019
【図１８】
2007140325.tif 000020
【図１９】
2007140325.tif 000021
【図２０】
2007140325.tif 000022
【図２１】
2007140325.tif 000023